(57)【要約】      （修正有）【課題】栽培室内に張った植物の根の除去や、土の消毒等が容易な植物育成装置を提供する。【解決手段】植物育成装置１は、植物育成用の土及び植物の種子が充填されるカートリッジ２と、カートリッジ２を収容するポット３とを備え、カートリッジ２は、飽和湿度で水分が吸着及び浸透する材質で形成され、ポット３には、ポット３内にミストを供給する潅水制御ユニットと、カートリッジ２への給気及びカートリッジ２からの排気をする土壌通風ユニットと、カートリッジ２の湿度を検知する湿度センサ６と、カートリッジ２内の水ポテンシャルを検知する土壌水分センサ７と、センサからの検知信号に基づき植物の育成状態を特定すると共に特定した植物の育成状態を表す画像表示用データを作成する植物育成計測・制御部１４とを備える。【選択図】図１
2015080440.tif 000002
【特許請求の範囲】
【請求項１】
植物育成用の土及び植物の種子が充填されるカートリッジと、
該カートリッジを収容するポットと、
該ポットに収容された前記カートリッジ内の前記土に水分ミスト及び溶液ミストを供給する潅水制御ユニットと、
前記カートリッジへの給気及び前記カートリッジからの排気をする土壌通風ユニットと、
前記ポットに収容された前記カートリッジ内の湿度を検知する湿度センサと、
前記ポットに収容された前記カートリッジ内の水ポテンシャルを検知する土壌水分センサと、
前記カートリッジに対する光の照度を検知する照度センサと、
前記ポットが設置された室内の温度を検知する温度センサと、
前記湿度センサ，前記土壌水分センサ手段，前記照度センサ，及び前記温度センサによる検知結果に基づき植物の育成状態を特定し、特定結果の画像表示用データを作成する表示用データ作成手段と、
前記表示用データ作成手段が作成した画像表示用データを用いて画像表示を行う表示手段と、
操作端末からの前記潅水制御ユニット，前記土壌通風ユニット，及び前記表示手段の内の少なくとも１つに対する制御操作入力を受け付けると共に、前記表示用データ作成手段が作成した画像表示用データを前記操作端末に送信する通信部とを備えることを特徴とする植物育成装置。
【請求項２】
前記土壌通風ユニットは、吸気及び排気用のダクト上に設けられ、前記通路を介して前記ポットの内部及び外部の何れかと前記カートリッジとの間で排気及び吸気の通路を切り換えるベンチレータを備えることを特徴とする請求項１に記載の植物育成装置。
【請求項３】
他の植物育成装置と前記カートリッジの管理情報を送受信するプランタ連携通信部を備えることを特徴とする請求項１又は２に記載の植物育成装置。
【請求項４】
前記カートリッジは、飽和湿度で水分が吸着及び浸透する材質で形成されていることを特徴とする請求項１〜３の何れかに記載の植物育成装置。
【請求項５】
前記カートリッジの底面中央部からは、前記カートリッジの下方と連通した中空部が上方に向けて延びていることを特徴とする請求項１〜４の何れかに記載の植物育成装置。
【請求項６】
前記カートリッジには、通風口が設けられていることを特徴とする請求項１〜５の何れかに記載の植物育成装置。
【請求項７】
前記ポットに収容された前記カートリッジに光を照射する補光ユニットを備えていることを特徴とする請求項１〜６の何れかに記載の植物育成装置。
【請求項８】
前記ポットに収容された前記カートリッジを撮影するモニタカメラユニットを備えることを特徴とする請求項１〜７の何れかに記載の植物育成装置。
【請求項９】
前記湿度センサ，前記土壌水分センサ，前記照度センサ，若しくは前記温度センサによる検知結果、又は、表示用データ作成手段により特定された植物の育成状態に異常が生じると、警告を行う警告手段を備えることを特徴とする請求項１〜８の何れかに記載の植物育成装置。
【請求項１０】
前記ポットには、前記カートリッジの収容部が複数開口しており、前記カートリッジを前記収容部に収容する順序が記載されていることを特徴とする請求項１〜９の何れかに記載の植物育成装置。
【発明の詳細な説明】
【技術分野】
【０００１】
本発明は、プランター栽培用の植物育成装置に関する。
【背景技術】
【０００２】
この種の植物育成装置は、下記の特許文献１に開示されている。特許文献１の植物栽培装置は、植物の栽培室に吸気口と排気口とを備えており、吸気口から栽培室内にコンプレッサーで空気が送られる。コンプレッサーから栽培室へ送られる空気の流量は、レギュレーターで調整される。排気口から排気される空気の流量は、三方弁で調整される。気圧調整部及び弁制御部は、栽培室内の気圧が標準気圧より大きくなるよう、レギュレーター及び三方弁を流れる気体の流量を制御する。
【先行技術文献】
【特許文献】
【０００３】
【特許文献１】国際公開第２０１３０３５８１６号
【発明の概要】
【発明が解決しようとする課題】
【０００４】
しかしながら、上記従来の植物育成装置では、栽培室内に張った植物の根の除去や、土の消毒等が容易でなかった。また、水やりや温度の管理に手間がかかり、水やり過多等による根腐れ、水補充忘れによる枯れが生じ易かった。
【０００５】
本発明は斯かる課題に鑑みてなされたもので、上記課題を解決できる植物育成装置を提供することを目的とする。
【課題を解決するための手段】
【０００６】
このような目的を達成するために、本発明の植物育成装置は、植物育成用の土及び植物の種子が充填されるカートリッジと、該カートリッジを収容するポットと、該ポットに収容された前記カートリッジ内の前記土に水分ミスト及び溶液ミストを供給する潅水制御ユニットと、前記カートリッジへの給気及び前記カートリッジからの排気をする土壌通風ユニットと、前記ポットに収容された前記カートリッジ内の湿度を検知する湿度センサと、前記ポットに収容された前記カートリッジ内の水ポテンシャルを検知する土壌水分センサと、前記カートリッジに対する光の照度を検知する照度センサと、前記ポットが設置された室内の温度を検知する温度センサと、前記湿度センサ，前記土壌水分センサ，前記照度センサ，及び前記温度センサによる検知結果に基づき植物の育成状態を特定し、特定結果の画像表示用データを作成する表示用データ作成手段と、前記表示用データ作成手段が作成した画像表示用データを用いて画像表示を行う表示手段と、操作端末からの前記潅水制御ユニット，前記土壌通風ユニット，及び前記表示手段の内の少なくとも１つに対する制御操作入力を受け付けると共に、前記表示用データ作成手段が作成した画像表示用データを前記操作端末に送信する通信部とを備えることを特徴とする。
また、本発明は、前記土壌通風ユニットは、吸気及び排気用のダクト上に設けられ、前記通路を介して前記ポットの内部及び外部の何れかと前記カートリッジとの間で排気及び吸気の通路を切り換えるベンチレータを備えることを特徴とする。
また、本発明は、他の植物育成装置と前記カートリッジの管理情報を送受信するプランタ連携通信部を備えることを特徴とする。
また、本発明は、前記カートリッジは、飽和湿度で水分が吸着及び浸透する材質で形成されていることを特徴とする。
また、本発明は、前記カートリッジの底面中央部からは、前記カートリッジの下方と連通した中空部が上方に向けて延びていることを特徴とする。
また、本発明は、前記カートリッジには、通風口が設けられていることを特徴とする。
また、本発明は、前記ポットに収容された前記カートリッジに光を照射する補光ユニットを備えていることを特徴とする。
また、本発明は、前記ポットに収容された前記カートリッジを撮影するモニタカメラユニットを備えることを特徴とする。
また、本発明は、前記湿度センサ，前記土壌水分センサ，前記照度センサ，若しくは前記温度センサによる検知結果、又は、表示用データ作成手段により特定された植物の育成状態に異常が生じると、警告を行う警告手段を備えることを特徴とする。
また、本発明は、前記ポットには、前記カートリッジの収容部が複数開口しており、前記カートリッジを前記収容部に収容する順序が記載されていることを特徴とする。
【発明の効果】
【０００７】
本発明によれば、植物栽培後の土及び植物の根をカートリッジと一緒に処分でき、新たに植物を栽培する際には植物育成用の土及び植物の種子が充填された新たなカートリッジをポットに収容すればよいので、植物を容易に栽培できる。また、カートリッジ内の土に潅水制御ユニットで水分ミスト及び溶液ミストを供給し、土壌通風ユニットでカートリッジへの給気及びカートリッジからの排気を行うことで、根腐れ、水補充忘れによる枯れを防止できる。
【図面の簡単な説明】
【０００８】
【図１】本発明の一実施形態の植物育成装置を示す模式図である。
【図２】図１の植物育成装置が備えるカートリッジを示す図である。
【図３】図１の植物育成装置が備えるポットを示す図である。
【図４】図１の植物育成装置を示すブロック図である。
【図５】図１の植物育成装置の動作を示す第１の図である。
【図６】図１の植物育成装置の動作を示す第２の図である。
【図７】図１の植物育成装置の動作を示す第３の図である。
【図８】図１の植物育成装置の動作を示す第４の図である。
【図９】本発明の植物育成装置の変形例を示す図である。
【図１０】本発明のカートリッジの変形例を示す図である。
【図１１】本発明のポットの変形例を示す第１の図である。
【図１２】本発明のポットの変形例を示す第２の図である。
【図１３】本発明のポットの変形例を示す第３の図である。
【図１４】本発明のポットの変形例を示す第４の図である。
【発明を実施するための形態】
【０００９】
以下、図面を参照して、本発明の一実施形態を説明する。
【００１０】
図１に示す植物育成装置１は、植物育成用の土及び植物の種子が充填されるカートリッジ２と、該カートリッジ２を収容するポット３とを備えている。
【００１１】
カートリッジ２は、図２に示すように、有底円筒状の容器であり、下端から上端にかけて拡径している。カートリッジ２は、飽和湿度で水分が吸着及び浸透する材質で形成されている。具体的には、カートリッジ２は、湿度の吸排を行える調湿紙を用いて形成されている。なお、カートリッジ２は、ポリエチレンテレタフレート又は類似材料を用いて形成し、育成対象作物に応じて適宜側面や底面に開口を設けてもよい。この時、内経部に薄い調湿紙を用いて、培養土の流出を防いでもよい。カートリッジ２の側面及び底面には、複数の通風口が設けられている。なお、カートリッジ２の側面及び底面には、通風口を設けていなくてもよい。
【００１２】
ポット３は、図３に示すように、カートリッジ２の収容口３１を上面に複数開口させた容器であり、内部にカートリッジ２を収容する。具体的には、ポット３は、円形の平面形状を有し、複数の収容部が上面に環状に開口している。ポット３の内部には、図１に示すように、カートリッジ２の底部が搭載される搭載部３２が、収容口３１毎に設けられている。搭載部３２の底部には、吸排用ダクトに接続された排気口３３が設けられている。
【００１３】
ポット３の底部には、水分及び溶液を貯留する貯留室３４が設けられている。貯留室３４は、搭載部３２が設けられたポット３の上部と隔壁３５で隔てられている。隔壁３５の中央部には開口が設けられており、この開口を通して貯留室３４とポット３の上部とが連通している。貯留室３４内には、隔壁３５を通してポット３の上部側から添加注入パイプ３６が進入している。添加注入パイプ３６の上端は、ポット３の上面に開口している。添加注入パイプ３６の上端開口からは、添加注入パイプ３６内にアロマ溶液や液肥溶液や水を注入することができるようになっている。
【００１４】
ポット３には、図１，４に示すように、ポット３内にミストを供給する潅水制御ユニット４と、上述の吸排用ダクトを用いてカートリッジ２への給気及びカートリッジ２からの排気をする土壌通風ユニット５と、搭載部３２に搭載されたカートリッジ２の湿度を検知する湿度センサ６と、搭載部３２に搭載されたカートリッジ２内の水ポテンシャルを検知する土壌水分センサ（堆積含水率センサ又は水マトリックスポテンシャルセンサ）７と、ポット３上面に照射される光の照度を検知する照度センサ８と、ポット３上面での室温を検知する温度センサ９とが備えられている。
【００１５】
潅水制御ユニット４は、ポット３に収容されたカートリッジ２内の土に水分ミスト及び溶液ミストを供給するためのものであり、貯留室３４内に超音波ミスト発振素子４１を設置して構成されている。
【００１６】
土壌通風ユニット５は、カートリッジ２への給気及びカートリッジ２からの排気をするためのものであり、各搭載部３２の排気口３３に接続された吸排用ダクト５１と、吸排用ダクト５１に備えられた吸排ポンプ５２及びベンチレータ５３とを備えている。吸排用ダクト５１は、各搭載部３２の排気口３３からそれぞれ延びたダクトが接続されて１本となり、ポット３の外部に開口している。
【００１７】
吸排ポンプ５２は、カートリッジ２側の吸排用ダクト５１内の空気の吸気、又は、ポット３の外部側の吸排用ダクト５１内の空気の吸気の何れかを行う。吸排ポンプ５２がカートリッジ２側の吸排用ダクト５１内の空気を吸気すると、カートリッジ２からの排気が行われる。また、吸排ポンプ５２がポット３の外部側の吸排用ダクト５１内の空気を吸気すると、カートリッジ２への給気が行われる。
【００１８】
ベンチレータ５３は、吸排ポンプ５２よりもポット３の外部側に位置した吸排用ダクト５１上に設けられており、ポット３の内部及びポット３の外部の何れかと吸排ポンプ５２側の吸排用ダクト５１とを接続する。これにより、吸排用ダクト５１を介してポット３の内部及び外部の何れかとカートリッジ２との間で排気及び吸気の通路が切り換えられる。
【００１９】
湿度センサ６は、ポット３に収容されたカートリッジ２内の湿度を検知するもので、搭載部３２に設置されている。土壌水分センサ７は、搭載部３２に設置された水マトリックスポテンシャルセンサであり、ポット３に収容されたカートリッジ２内の水ポテンシャルを検知する。照度センサ８は、ポット３の上面に設置されており、カートリッジ２に対する光の照度を検知する。温度センサ９は、ポット３の上面に設置されており、ポット３が設置された室内の温度を検知する。
【００２０】
また、ポット３には、植物育成の計測及び植物育成装置１の制御を行う植物育成計測・制御部１４と、植物育成計測・制御部１４での計測結果等を画像表示するステータス表示部１５と、操作端末２０との間で通信を行う育成操作端末通信部１６と、植物育成装置１へ電源供給及び植物育成装置１の動作監視を行う電源／動作監視部１７と、居室内空調制御に用いられる空調制御リモコン１８とが備えられている。
【００２１】
植物育成計測・制御部（マイクロプロセッサ）１４は、湿度センサ６，土壌水分センサ７，照度センサ８，温度センサ９からの検知信号に基づき植物の育成状態を特定する。また、植物育成計測・制御部１４は、特定した植物の育成状態を表す画像表示用データを作成する。
【００２２】
このように、植物育成計測・制御部１４は、湿度センサ６，土壌水分センサ７，照度センサ８，及び温度センサ９による検知結果に基づき植物の育成状態を特定し、特定結果の画像表示用データを作成する表示用データ作成手段を構成している。表示用データ作成手段が特定する植物の育成状態には、湿度センサ６が検知した温度，土壌水分センサ７が検知した水ポテンシャル，照度センサ８が検知した照度，温度センサ９が検知した室温がある。また、その他に、枯れ，根腐れ，成長温度限界（高温・低温），育成適量照度およびその積算，温度積算・照度積算による播種後の本葉，開花，結実等の植物成長予測を行う機能を有していてもよい。電源／動作監視部１７は、植物育成装置１が植物の育成を管理する事から信頼性が求められるので、あらかじめ植物育成装置１の寿命末期や初期，偶発故障の予知を行うために、電源電圧と変動の異常を検出すると共にユーザ等に警告を与える機能を有している。空調制御リモコン１８は、湿度センサ６及び温度センサ９での検知結果に応じて、室内の空調装置を制御するためのもので、無人時の生育限界超える環境制御を行うためのものである。これは、植物の育成が３週間―６か月等の期間を有しており育成者の日常生活において冬季，夏季等に部屋に放置される場合があることから、密閉居室内において放置された場合に生育限界温度範囲を超えて植物にダメージを与える事が多くあるので、これを防止するためである。
【００２３】
また、植物育成計測・制御部１４は、操作端末２０からの潅水制御ユニット４，土壌通風ユニット５，並びにステータス表示部１５に対する制御操作入力、及び、植物の育成状態に基づき、超音波ミスト発振素子４１，吸排ポンプ５２，ベンチレータ５３の動作を制御する。
【００２４】
ステータス表示部１５は、液晶表示装置で構成されており、植物育成計測・制御部１４が作成した画像表示用データを用いて画像表示を行う表示手段を構成している。
【００２５】
育成操作端末通信部１６は、操作端末２０からの潅水制御ユニット４，土壌通風ユニット５，及び表示手段の内の少なくとも１つに対する制御操作入力を受け付けると共に、植物育成計測・制御部１４が作成した画像表示用データを操作端末２０に送信する通信部を構成している。プランタ連携通信部１９は、カートリッジ２の管理情報を他の植物育成装置１が備えるプランタ連携通信部１９と植物育成計測・制御部１４との間で送受信する。
【００２６】
次に、植物育成装置１の動作を説明する。
植物育成装置１は、湿度センサ６，土壌水分センサ７，照度センサ８，温度センサ９からの検知信号に基づき植物育成計測・制御部１４で植物の育成状態を常時特定しており、植物の育成状態の画像表示を指示する制御操作入力があると、植物育成計測・制御部１４が特定した植物の育成状態を表す画像表示用データを作成し、ステータス表示部１５に画像表示を行う。
【００２７】
また、カートリッジ２の管理情報の画像表示を指示する制御操作入力があると、植物育成計測・制御部１４がカートリッジ２の管理情報を表す画像表示用データを作成し、ステータス表示部１５に画像表示を行う。
【００２８】
また、操作端末２０から植物の育成状態，カートリッジ２の管理情報の画像表示を指示する制御操作入力があった場合も、同様に、植物育成計測・制御部１４が植物の育成状態，カートリッジ２の管理情報を表す画像表示用データを作成し、育成操作端末通信部１６から操作端末２０に送信する。
【００２９】
植物育成装置１は、操作端末２０からの制御操作入力、又は、植物の育成状態により、ポット３に収容されたカートリッジ２内の土に外気・酸素を供給する必要が生じると、植物育成計測・制御部１４が土壌通風ユニット５を制御して、吸排ポンプ５２及びベンチレータ５３を動作させる。
【００３０】
これにより、図５に示すように、吸排ポンプ５２がポット３の外部側の吸排用ダクト５１内の空気を吸気すると共に、ベンチレータ５３がポット３の外部と吸排ポンプ５２側の吸排用ダクト５１とを接続する。
【００３１】
この結果、吸排用ダクト５１を介してポット３の外部からカートリッジ２内への吸気の通路が形成され、カートリッジ２内の土に外気・酸素が供給される。カートリッジ２内の土に供給された外気・酸素は、カートリッジ２を通してポット３の内部に放出され、又は、カートリッジ２の上端開口を通してポット３の外部に放出される。
【００３２】
また、植物育成装置１は、操作端末２０からの制御操作入力、又は、植物の育成状態により、ポット３に収容されたカートリッジ２内の土水分を供給する必要が生じると、植物育成計測・制御部１４が潅水制御ユニット４を制御して超音波ミスト発振素子４１を動作させると共に土壌通風ユニット５を制御して吸排ポンプ５２及びベンチレータ５３を動作させる。
【００３３】
これにより、土壌通風ユニット５は、図６に示すように、吸排ポンプ５２でポット３の外部側の吸排用ダクト５１内の空気を吸気すると共に、ベンチレータ５３でポット３の内部と吸排ポンプ５２側の吸排用ダクト５１とを接続する。この結果、吸排用ダクト５１を介してポット３の内部からカートリッジ２内への吸気の通路が形成される。
【００３４】
これにより、貯留室３４内の水が蒸発し、ポット３内に水分ミスト及び溶液ミストが供給される。また、カートリッジ２内の空気が吸排用ダクト５１を通してポット３の内部に排出されると共に、ポット３内に供給された水分ミスト及び溶液ミストが、カートリッジ２に吸着してカートリッジ２内に浸透し、カートリッジ２内の土に供給される。
【００３５】
また、植物育成装置１は、操作端末２０からの制御操作入力、又は、植物の育成状態により、ポット３に収容されたカートリッジ２内の土にカートリッジ２からの浸透ではなく直接水分を強制的に供給する必要が生じると、植物育成計測・制御部１４が潅水制御ユニット４を制御して超音波ミスト発振素子４１を動作させると共に土壌通風ユニット５を制御して吸排ポンプ５２及びベンチレータ５３を動作させる。
【００３６】
土壌通風ユニット５は、吸排ポンプ５２でポット３の外部側の吸排用ダクト５１内の空気を吸気すると共に、ベンチレータ５３でポット３の内部と吸排ポンプ５２側の吸排用ダクト５１とを接続する。
【００３７】
この結果、吸排用ダクト５１を介してポット３の内部からカートリッジ２内への吸気の通路が形成される。これにより、貯留室３４内の水が蒸発し、ポット３内に水分ミスト及び溶液ミストが供給される。また、図７に示すように、ポット３の内部のミスト成分が吸排用ダクト５１を通して搭載部３２の底部の排気口３３まで移動し、カートリッジ２の底面の通風口からカートリッジ２内の土に供給される。この際、水分を急速・大量に供給する際に生じるカートリッジ２のフィルタ動作の詰まりが解消される。
【００３８】
また、植物育成装置１は、操作端末２０からの制御操作入力、又は、植物の育成状態により、ポット３に収容されたカートリッジ２内の空気清浄をする必要が生じると、植物育成計測・制御部１４が土壌通風ユニット５を制御して、吸排ポンプ５２及びベンチレータ５３を動作させる。
【００３９】
これにより、図８に示すように、吸排ポンプ５２がカートリッジ２側の吸排用ダクト５１内の空気を吸気すると共に、ベンチレータ５３がポット３の外部と吸排ポンプ５２側の吸排用ダクト５１とを接続する。
【００４０】
この結果、吸排用ダクト５１を介してカートリッジ２内からポット３の外部への吸気の通路が形成され、カートリッジ２内の空気がポット３の外部に排気される。また、ポット３内に水分ミスト及び溶液ミストが、カートリッジ２に吸着してカートリッジ２内に浸透し、カートリッジ２内の土に供給される。
【００４１】
本実施形態によれば、植物栽培後の土及び植物の根をカートリッジ２と一緒に処分でき、新たに植物栽培する際には植物育成用の土及び植物の種子が充填された新たなカートリッジ２をポット３に収容すればよいので、植物を容易に栽培できる。また、土壌成分と発芽の管理，消毒等の手間を省け、カビ等の発生も防止できる。
【００４２】
また、本実施形態によれば、カートリッジ２内の土に潅水制御ユニット４で水分ミスト及び溶液ミストを供給し、土壌通風ユニット５でカートリッジ２への給気及びカートリッジ２からの排気を行うことで、根腐れ、水補充忘れによる枯れを防止できる。また、植物育成装置１同士を連携させてすずなり栽培を行うこともできる。
【００４３】
また、本実施形態によれば、ミスト供給や空気清浄，外気・酸素の動作を行うことで長期休暇時の室内気温上昇に対応でき、ミスト供給によって潅水の問題にも対応できる。また、空気清浄，外気・酸素の動作を行うことで水やり過多となった場合や室内気温上昇による根腐れ防止ができる。また、湿度センサ６や土壌水分センサ７での検知結果に応じて自動的にミスと供給による水補充が行われるので、長期の水補充忘れによる枯れを防止できる。
【００４４】
なお、植物育成装置１は、図９に示すように、収容部に拡張ユニット１０を装着できるようにしてもよい。拡張ユニット１０としては、ポット３に収容されたカートリッジ２に光を照射する補光ユニット，ポット３に収容されたカートリッジ２を撮影するモニタカメラユニット，アロマを発生させるアロマ発生ユニットを用いることができる。拡張ユニット１０は、拡張ユニット接続部１１を介して植物補光制御回路１２に接続されている。植物補光制御回路１２は、電源変換回路１３から電源供給を受けて拡張ユニット１０を動作させる。照度センサ８での日照積算時間が確保されないときには、補光ユニットを用いることで、日照時間を確保できる。また、操作端末の栽培アドバイス暦からのアラームや施肥指示を行えるようにしてもよい。
【００４５】
また、上記実施形態では、カートリッジ２が有底円筒状の容器である場合について説明したが、図１０に示すように、カートリッジ２の底面中央部からカートリッジ２の下方と連通した中空部２１が上方に向けて延びている構成としてもよい。この構成によれば、カートリッジ２内の土にカートリッジ２からの浸透ではなく直接水分を強制的に供給する場合に、カートリッジ２に中空部から水分が浸透するため、発根の周囲拡大を防ぐことができる。また、このような構成のカートリッジ２を用いる場合には、搭載部３２を通してカートリッジ２の底面側からミスト成分がカートリッジ２に吸着するようにポット３を構成してもよい。
【００４６】
また、上記実施形態では、カートリッジ２が有底円筒状の容器である場合について説明したが、カートリッジ２の側面に通風口が設けられていてもよい。また、植物育成装置１は、湿度センサ６，土壌水分センサ７，照度センサ８，若しくは温度センサ９による検知結果、又は、植物の育成状態に異常が生じると、警告を行う警告手段を備える構成としてもよい。また、搭載部３２やポット３のカートリッジ２の収容部の開口部には、図１１に示すように、カートリッジ２を収容部に収容する順序が記載されていてもよい。
【００４７】
また、ポット３の形状等は任意であり、図１２（ａ）に示すように板状体から１つの収容部が突出したものでも、図１２（ｂ）に示すように長円形の平面形状を有し、複数の収容部が上面に一列に開口したものでもよい。また、図１３（ａ）及び図１３（ｂ）に示すように長方形の平面形状を有し、複数の収容部が上面に一列に開口したものでもよい。
【００４８】
また、図１４（ａ）に示すように多角形の平面形状を有し、複数の収容部が上面に環状に開口すると共に、中央部に１つの収容部が開口したものでもよい。また、図１４（ｂ）に示すように円形の平面形状を有し、複数の収容部が上面に環状に開口すると共に、中央部に１つの収容部が開口したものでもよい。
【符号の説明】
【００４９】
１  植物育成装置
２  カートリッジ
３  ポット
４  潅水制御ユニット
５  土壌通風ユニット
６  湿度センサ
７  土壌水分センサ（水ポテンシャルセンサ）
８  照度センサ
９  温度センサ
１０  補光ユニット
１４  植物育成計測・制御部
１５  ステータス表示部
１６  育成操作端末通信部
１７  電源／動作監視部
１８  空調制御リモコン
２０  操作端末
３１  収容口
３２  搭載部
３３  排気口
３４ 貯留室
３５  隔壁
３６  添加注入パイプ
４１  超音波ミスト発振素子
５１  吸排用ダクト
５２  吸排ポンプ
５３  ベンチレータ
【図１】
2015080440.tif 000003
【図２】
2015080440.tif 000004
【図３】
2015080440.tif 000005
【図４】
2015080440.tif 000006
【図５】
2015080440.tif 000007
【図６】
2015080440.tif 000008
【図７】
2015080440.tif 000009
【図８】
2015080440.tif 000010
【図９】
2015080440.tif 000011
【図１０】
2015080440.tif 000012
【図１１】
2015080440.tif 000013
【図１２】
2015080440.tif 000014
【図１３】
2015080440.tif 000015
【図１４】
2015080440.tif 000016